(57)【要約】      （修正有）【課題】設置する地理的な位置や、屋根の角度等を考慮した太陽光発電システムの販売価格を算出する価格算出装置を提供する。【解決手段】価格算出装置は、太陽光発電システムの年間予想発電量の入力を受け付ける年間予想発電量入力部１１０と、年間予想発電量入力部１１０により入力を受け付けられた年間予想発電量に基づいて、太陽光発電システムの販売価格を算出する価格算出部１２０と、を有する。そして、価格算出部１２０は、少なくとも年間予想発電量と、電気事業者の買取価格の単価と、を掛け合わせることにより太陽光発電システムの販売価格を算出する。【選択図】図３
2015052848.tif 000002
【特許請求の範囲】
【請求項１】
太陽光発電システムの年間予想発電量の入力を受け付ける年間予想発電量入力部と、
前記年間予想発電量入力部により入力を受け付けられた年間予想発電量に基づいて、前記太陽光発電システムの販売価格を算出する価格算出部と、
を有し、
前記価格算出部は、
少なくとも年間予想発電量と、電気事業者の買取価格の単価と、を掛け合わせることにより前記太陽光発電システムの販売価格を算出すること
を特徴とする価格算出装置。
【請求項２】
請求項１に記載の価格算出装置において、
前記太陽光発電システムの定格発電量と価格係数との対応関係を価格係数表として記憶する価格係数表記憶部と、
前記価格係数表記憶部から前記定格発電量に対応する価格係数を参照する価格係数表参照部と、
を有し、
前記価格算出部は、
少なくとも年間予想発電量と、電気事業者の買取価格の単価と、前記価格係数表参照部により参照された価格係数と、を掛け合わせることにより前記太陽光発電システムの販売価格を算出すること
を特徴とする価格算出装置。
【請求項３】
請求項２に記載の価格算出装置において、
前記太陽光発電システムの定格発電量が大きいほど、価格係数の値が小さいこと
を特徴とする価格算出装置。
【発明の詳細な説明】
【技術分野】
【０００１】
本発明は、太陽光発電システムの販売価格を算出する価格算出装置に関する。
【背景技術】
【０００２】
太陽光発電システムは、一般に、発電要素である太陽電池と、直流電圧を交流電圧に変換するパワーコンディショナーと、これらを接続するための接続部と、を有する。太陽光発電システムの定格発電量は、上記の各部の性能および組み合わせにより定まっている。しかし、実際の年間発電量は、太陽光発電システムを設置する地理的な位置や、屋根の角度等により、変化する。そのため、年間発電量を予想するシミュレーションプログラムが開発されてきている（特許文献１）。
【先行技術文献】
【特許文献】
【０００３】
【特許文献１】特開２００４−４７８７５号公報
【発明の概要】
【発明が解決しようとする課題】
【０００４】
ところで、太陽光発電システムを販売する際には、太陽光発電システムの定格発電量に依存して価格を決定することが通常である。この定格発電量は、所定の条件で光を照射した場合に出力される発電量である。しかし、実際の発電量は、太陽光発電システムを設置する地理的な位置や、屋根の角度等により変動する。そのため、設置する地理的な位置や、屋根の角度等は、価格に反映されていない。したがって、例えば、日照時間が短い地域と、日照時間が長い地域とで、価格設定が同じであった。日照時間が短い地域では、割高な価格設定となっていた。
【０００５】
本発明が解決しようとする課題は、設置する地理的な位置や、屋根の角度等を考慮した太陽光発電システムの販売価格を算出する価格算出装置を提供することである。
【課題を解決するための手段】
【０００６】
第１の態様における価格算出装置は、太陽光発電システムの年間予想発電量の入力を受け付ける年間予想発電量入力部と、年間予想発電量入力部により入力を受け付けられた年間予想発電量に基づいて、太陽光発電システムの販売価格を算出する価格算出部と、を有する。そして、価格算出部は、少なくとも年間予想発電量と、電気事業者の買取価格の単価と、を掛け合わせることにより太陽光発電システムの販売価格を算出する。
【０００７】
この価格算出装置は、太陽光発電システムを設置する地理的な位置や、屋根の角度等をも評価した上で、太陽光発電システムのより現実的な販売価格を算出ことができる。
【０００８】
第２の態様における価格算出装置は、太陽光発電システムの定格発電量と価格係数との対応関係を価格係数表として記憶する価格係数表記憶部と、価格係数表記憶部から定格発電量に対応する価格係数を参照する価格係数表参照部と、を有する。そして、価格算出部は、少なくとも年間予想発電量と、電気事業者の買取価格の単価と、価格係数表参照部により参照された価格係数と、を掛け合わせることにより太陽光発電システムの販売価格を算出する。
【０００９】
第３の態様における価格算出装置では、太陽光発電システムの定格発電量が大きいほど、価格係数の値が小さい。
【発明の効果】
【００１０】
本発明では、設置する地理的な位置や、屋根の角度等を考慮した太陽光発電システムの販売価格を算出する価格算出装置が提供されている。
【図面の簡単な説明】
【００１１】
【図１】太陽光発電システムを例示する模式図である。
【図２】実施形態に係る価格算出装置の構成を示すブロック図である。
【図３】実施形態に係る価格算出装置の制御系を示すブロック図である。
【図４】実施形態に係る価格算出装置が有する価格対応表を例示する表である。
【図５】実施形態に係る価格算出装置による価格算出方法を説明するためのフローチャートである。
【発明を実施するための形態】
【００１２】
１．太陽光発電システム
図１は太陽光発電システムＳ１を例示する模式図である。太陽光発電システムＳ１は、太陽電池モジュールＳＢＭ１と、パワーコンディショナーＰＣ１と、接続箱ＣＢ１と、を有している。また、この他に、モニターやその他の各部を有していてもよい。
【００１３】
２．価格算出装置の構成
図２は、本実施形態の価格算出システム１の概略構成を示すブロック図である。価格算出システム１は、価格算出装置１０と、入力部２０と、出力部３０と、を有している。価格算出装置１０は、制御部１００と、不揮発性メモリ２００と、を有している。制御部１００は、ＣＰＵ（Ｃ１）と、メモリＭ１と、を有している。不揮発性メモリ２００には、プログラムＰ１が格納されている。プログラムＰ１は、本実施形態の価格算出方法を実行するためのものである。
【００１４】
図３は、価格算出装置１０の制御系を示すブロック図である。制御部１００は、太陽光発電システムＳ１の年間予想発電量の入力を受け付ける年間予想発電量入力部１１０と、年間予想発電量に基づいて太陽光発電システムの販売価格を算出する価格算出部１２０と、表示部３０への出力を制御する出力制御部１３０と、を有している。
【００１５】
価格算出部１２０は、価格係数表を記憶するための価格係数表記憶部１２１と、その価格係数表を参照するための価格係数表参照部１２２と、を有している。価格係数表については、後述する。また、価格算出部１２０は、条件式記憶部１２３と、その他の算出部１２４と、を有していてもよい。
【００１６】
３．価格算出方法
３−１．販売価格の算出式
価格算出装置１０は、太陽光発電システムＳ１の年間予想発電量に基づいて、太陽光発電システムＳ１の販売価格を算出する。価格算出部１２０は、太陽光発電システムＳ１の販売価格を次の式（１）に基づいて算出する。
販売価格  ＝  年間予想発電量  ×  単価  ×  期間  ×  価格係数  ………（１）
式（１）に示すように、販売価格（円）は、年間予想発電量（ｋＷｈ／年）に依存する。年間予想発電量の算出方法については、後述する。
【００１７】
ここで、単価（円／ｋＷｈ）は、「電気事業者による再生可能エネルギー電気の調達に関する特別措置法」で定められた電気事業者が各家庭等から電力を買い取る買取価格と同じ額とする。つまり、太陽光発電システムの発電能力が１０ｋＷ未満の場合には、単価は、（３８円／ｋＷｈ）である。太陽光発電システムの発電能力が１０ｋＷ以上の場合には、単価は、（３７．８円／ｋＷｈ）である。
【００１８】
期間（年）は、上記の特別措置法により定められた買取価格を継続して適用される期間である。太陽光発電システムＳ１の発電能力が１０ｋＷ未満の場合には、１０年である。太陽光発電システムＳ１の発電能力が１０ｋＷ以上の場合には、２０年である。価格係数は、本出願人により定められた係数である。詳細については、後述する。
【００１９】
３−２．年間予想発電量の算出式
年間予想発電量（ｋＷｈ／年）は、次の式（２）
年間予想発電量  ＝  定格発電量  ×  日照時間  ×  角度係数  ………（２）
で表される。ここで、定格発電量（ｋＷ）とは、太陽電池モジュールＳＢＭ１が一定の強さの光を一定の角度で照射された場合に、太陽光発電システムＳ１が発電する発電能力のことである。日照時間（ｈ／年）とは、年間の平均日照時間である。角度係数とは、太陽光が太陽電池モジュールＳＢＭ１に照射する角度に基づく係数である。この角度係数は、太陽光発電システムＳ１を設置する地理的な位置と、屋根の方角と、地面に対する屋根の角度と、等に基づく係数である。この角度係数は、太陽光発電システムＳ１の購入者の設置場所、設置個所に応じて、定まる。
【００２０】
３−３．第１の価格算出方法（テーブル）
図４は、価格係数表記憶部１２１に記憶されている価格係数表を例示する表である。この価格係数表は、太陽光発電システムＳ１の定格発電量と、その定格発電量に掛け合わせる価格係数と、の対応関係を関連付けるための表である。太陽光発電システムＳ１の定格発電量、すなわち発電能力が大きいほど、販売価格の値引き率を大きくするためのものである。そのため、太陽光発電システムＳ１の定格発電量が大きいほど、その定格発電量に対応する価格係数は小さい。図４の定格発電量において、例えば、「０−２．０」とする表示は、０（ｋＷ）より大きく２．０（ｋＷ）以下の範囲を示している。すなわち、数値範囲の最小値を含まない。
【００２１】
３−４．第２の価格算出方法（条件式）
また、図４の価格係数表に対応するように、条件式を用いて算出することとしてもよい。その場合には、条件式記憶部１２３に記憶されている条件式を用いればよい。
【００２２】
３−５．処理手順
図５は、太陽光発電システムの販売価格を算出するための処理手順を示すフローチャートである。図５に示すように、年間予想発電量入力部１１０は、ユーザーによる年間予想発電量の入力を受け付ける（Ｓ１０１）。次に、価格係数表参照部１２２は、価格係数表記憶部１２１の価格係数表を参照して、入力を受け付けた定格発電量に対応する価格係数を読み出す（Ｓ１０２）。そして、価格算出部１２０は、式（１）より販売価格を算出する（Ｓ１０３）。そして、出力制御部１３０は、その算出した販売価格を出力部３０に表示させる（Ｓ１０４）。
【００２３】
４．計算例
ここで、価格算出部１２０が行う価格の算出について説明する。例えば、年間予想発電量が３０００ｋＷｈ／年で、定格発電量が４．８ｋＷであったとする。価格係数表参照部１２２は、価格係数表記憶部１２１に記憶されている価格係数表を参照する。この場合の価格係数は、０．８５である。次に、価格算出部１２０は、次の計算を行う。式（１）より、販売価格は、３０００×３８×１０×０．８５＝９６９０００円である。
【００２４】
５．変形例
５−１．日照時間のばらつき
過去の年間日照時間にばらつきの大きい地域では、太陽光発電システムを設置した場合実際の年間発電量と、過去の年間日照時間の平均値から算出した年間予想発電量との間で、大きな差が出るおそれがある。そのため、日照時間誤差係数を導入する。この日照時間誤差係数は、０以上１以下の数値である。そして、年間日照時間にばらつきの小さい地域では、日照時間誤差係数は、１に近い。例えば、０．９９である。年間日照時間にばらつきの大きい地域では、日照時間誤差係数は、より小さい値をとる。例えば、０．８９である。そして、これらの日照時間誤差係数を、販売価格に掛け合わせる。つまり、日照時間にばらつきの大きい地域ほど、太陽光発電システムの販売価格として低い価格を設定することとなる。販売価格を算出する際に、表を用いてもよいし、計算式を用いてもよい。そして、日照時間誤差係数を、式（１）の右辺に掛け合わせることとすればよい。
【００２５】
５−２．日照時間の最低値
また、年間予想発電量を算出する際に、その地方における過去の年間日照時間のうち最も年間日照時間が短かった年の年間日照時間の値を採用してもよい。つまり、式（２）で用いる日照時間として、例えば、その地域における１０年間で最も日照時間の短かった値を用いるのである。
【００２６】
５−３．価格係数
本実施形態では、太陽光発電システムの定格発電量が大きいほど、価格係数として小さい値を設定した。しかし、価格係数を全て同じ値としてもよい。例えば、価格係数を全部１にしてもよい。また、場合によっては、太陽光発電システムの定格発電量が大きいほど、価格係数として大きい値を設定してもよい。
【００２７】
５−４．太陽光発電システムのその他の構成
太陽光発電システムは、本実施形態で説明した以外に、昇圧ユニットと、モニターと、のうち少なくとも１以上を備えていてもよい。もちろん、これ以外の構成を含んでいてもよい。
【００２８】
５−５．年間予想発電量の入力
本実施形態では、ユーザーが価格算出装置１０に年間予想発電量の値を入力することとした。しかし、年間予想発電量のシミュレーション装置が価格算出装置１０に年間予想発電量の値を入力することとしてもよい。または、価格算出装置１０が、年間予想発電量のシミュレーション装置を兼ねていてもよい。
【００２９】
５−６．組み合わせ
以上の変形例を自由に組み合わせてもよい。
【００３０】
６．本実施形態のまとめ
以上詳細に説明したように、本実施形態の価格算出装置１０は、太陽光発電システムＳ１自体の定格発電量のみならず、設置場所の地理的要因や屋根の向きおよび角度といった設置条件を含めて、太陽光発電システムＳ１の販売価格を算出することができる。
【符号の説明】
【００３１】
１０…価格算出装置
１００…制御部
１１０…年間予想発電量入力部
１２０…価格算出部
１２１…価格係数表記憶部
１２２…価格係数表参照部
１２３…条件式記憶部
１３０…出力制御部
Ｐ１…プログラム
【図１】
2015052848.tif 000003
【図２】
2015052848.tif 000004
【図３】
2015052848.tif 000005
【図４】
2015052848.tif 000006
【図５】
2015052848.tif 000007